(57)【特許請求の範囲】
【請求項１】
互いに平行になるよう略一定間隔でロープによって連結された複数の段板間に、シート状の発泡体を補強し工具等の落下に対して緩衝性を有するようにした養生用シートが張設されていることを特徴とする屋根上作業用梯子。
【請求項２】
前記段板が、屋根面に沿って設置される設置面と、作業者の足を載せる踏み面と、前記設置面と踏み面とを結ぶ蹴込み面とからなる断面三角形状の板状体でなり、設置面と踏み面との交叉角度が屋根面の傾斜角度と略同じになされていることを特徴とする請求項１記載の屋根上作業用梯子。
【請求項３】
前記シート状の発泡体を不織布で補強したことを特徴とする請求項１または２記載の屋根上作業用梯子。
【発明の詳細な説明】
【０００１】
【発明の属する技術分野】
本発明は、傾斜屋根上で作業するときに使用する屋根上作業用梯子に関する。
【０００２】
【従来の技術】
従来、屋根上作業用梯子としては、特開平９−２５０２３７号公報に記載されているものが知られている。
上記公報記載の屋根上作業用梯子は、複数の段板が互いに平行になるよう略一定間隔で一対のロープによって連結されていて、一番上の段板の上にフックが取り付けられ、屋根の棟部に沿って取り付けられた親綱部材に上記フックを引っ掛けて屋根面に沿って設置して使用される。
【０００３】
【発明が解決しようとする課題】
しかしながら、上記公報記載の屋根上作業用梯子は、段板と段板との間隔が空いており、作業者の足が段板からはみだして屋根下地等を汚すという問題がある。特に、屋根面に太陽電池モジュールを施工する場合、段板からはみ出した作業者の足によって太陽電池モジュールの表面を傷付けたり、屋根面のアスファルト等が作業者の足に付着して太陽電池モジュール表面を汚染し、発電効率低下の要因となることがある。
【０００４】
本発明は、上述のような従来技術の問題点を解消するためになされたものであって、段板から足がはみ出しても屋根下地等の汚染や傷付きを防止できる屋根上作業用梯子を提供することを課題とする。
【０００５】
【課題を解決するための手段】
請求項１記載の屋根上作業用梯子は、互いに平行になるよう略一定間隔でロープによって連結された複数の段板間に、シート状の発泡体を補強し工具等の落下に対して緩衝性を有するようにした養生用シートが張設されていることを特徴としている。
【０００６】
請求項２記載の発明は、請求項１記載の屋根上作業用梯子において、前記段板が、屋根面に沿って設置される設置面と、作業者の足を載せる踏み面と、前記設置面と踏み面とを結ぶ蹴込み面とからなる断面三角形状の板状体でなり、設置面と踏み面との交叉角度が屋根面の傾斜角度と略同じになされていることを特徴としている。
【０００７】
請求項３記載の発明は、請求項１または２記載の屋根上作業用梯子において、前記シート状の発泡体を不織布で補強したことを特徴としている。
【０００８】
（作用）
請求項１記載の屋根上作業用梯子は、段板間に養生用シートが張設されているので、段板から足がはみ出しても屋根下地等の汚染や傷付きを防止できる。さらに、前記養生シートが、工具等の落下に対して緩衝性を有する材料で形成されているので、工具等を落とした時に屋根面の損傷を防止できる。屋根面に太陽電池モジュールの組み込まれた太陽電池パネル等が設置されている場合には殊に有用である。
【０００９】
請求項２記載の屋根上作業用梯子は、さらに、前記段板の設置面と踏み面との交叉角度が屋根面の傾斜角度と略同じになされているので、この梯子を屋根面の上から下方に沿わせて設置すると、踏み面が略水平状態となり、安定した姿勢で昇降できる。
【００１０】
請求項３記載の屋根上作業用梯子は、前記シート状の発泡体を不織布で補強したものであって、不織布を表面側に配置すると、滑り止めとなる。
【００１１】
【発明の実施の形態】
以下、本発明の実施の形態について図面を参照しながら詳細に説明する。
図１〜図４は、本発明の一実施の形態であって、図１（イ）図は屋根上作業用梯子の平面図、（ロ）図は側面図、図２は屋根面に設置された屋根上作業用梯子の要部拡大斜視図であり、図３は図１の屋根上作業用梯子の取付け方法を示す説明図、図４は屋根上作業用梯子の使用状態を示す説明図である。
【００１２】
図１〜図４において、１は屋根上作業用梯子であって、この屋根上作業用梯子１は、図１に示すように、互いに平行になるよう略一定間隔で２本のロープ３、３によって連結された複数の段板２、２、・・間に、養生用シート４、４、・・が張設されたものである。
【００１３】
上記段板２は、図２に示すように、屋根面Ｙに沿って設置される設置面２１と、作業者の足を載せる踏み面２２と、前記設置面２１と踏み面２２とを結ぶ蹴込み面２３とからなる断面三角形状のアルミニウム製の板状体で形成され、踏み面２２と蹴込み面とに連通するロープ挿通孔２４が設けられている。そして、上記設置面２１と踏み面２２との交叉角度Ｒ１は、屋根面Ｙの傾斜角度Ｒ２と略同じになされている。
【００１４】
上記ロープ挿通孔２４には、合成樹脂製のパイプが嵌入され、挿通されるロープ３の傷付きを防止している。上記段板２に挿通されたロープ３の一端にはフック５が取り付けられ、屋根面Ｙへの取付け時に使用される。また、上記段板２の踏み面２２には、適宜の滑り止め加工が施されている。養生用シート４は、合成樹脂製であってもよいし、布製であってあってもよいが、屋根面Ｙの傷付きを防止するため、柔軟な材料が適している。養生用シート４の両側は筒状になされ、ロープ３、３間に張設されている。
【００１５】
上記構成になされた本実施例の屋根上作業用梯子１は、図３では、屋根面Ｙに太陽電池パネルＰが設置された屋根ユニットＹＵに予め取り付けて使用されている。上記太陽電池パネルＰの上部に専用の取付け金具Ｐ１が設けられ、この取付け金具Ｐ１に屋根上作業用梯子１のフック５を引っ掛けて取り付ける。
上記の屋根ユニットＹＵを建物（不図示）の居室構造体の上にワイヤーＷ等を使用して設置した後、屋根面Ｙでの屋根上作業に上記梯子１を使用する。
【００１６】
上述してきたように、本実施例の屋根上作業用梯子１は、段板２、２間に養生用シート４が張設されているので、段板２から作業者Ｓの足がはみ出しても、屋根面Ｙに設置されている太陽電池パネルＰの汚染や傷付きを防止できる（図４参照）。
【００１７】
さらに、前記段板２の設置面２１と踏み面２２との交叉角度Ｒ１が屋根面Ｙの傾斜角度Ｒ２と略同じになされているので、この梯子１を屋根面Ｙの上から下方に沿わせて設置すると、踏み面２２が略水平状態となり、安定した姿勢で昇降できる。
【００１８】
図５は、本発明の別の実施例であって、屋根上作業用梯子の要部を示す斜視図である。本実施例を含む以下実施例において、前記実施例と同じものには同符合を付けて説明を省略し、異なるものだけ別符合を付けて説明する。図５において、２０は段板であって、本実施例の屋根上作業用梯子１は、この段板２０を除けば前記実施例のものと本質的に同じ構成になされている。
【００１９】
上記段板２０は、アルミニウム製で断面三角筒形状になされ、踏み面には滑り止め加工が施されている。そして、段板２０の両端部に合成樹脂製のキャップ２０１が取り付けられ、このキャップ２０１の側面には、ロープ３を挿通して係止する二つの半円環状の係止リング２０２、２０２が設けられている。このように、本実施例の屋根上作業用梯子１は、前記実施例の段板２の代わりに段板２０を設けた以外は、前記実施例と同じであるから、実施例の作用についての説明を省略する。
【００２０】
図６と図７は、本発明の他の実施例であって、図６（イ）図は屋根上作業用梯子の平面図、（ロ）図は（イ）図のＡ−Ａ線における断面図、図７は図６の屋根上作業用梯子の要部を示す斜視図である。
図６において、１Ａは屋根上作業用梯子、２０Ａは段板、４０は養生用シートである。本実施例の屋根上作業用梯子１Ａは、段板２０Ａと養生用シート４０が前記実施例と異なっているが、他は前記実施例と本質的に同じ構成になされている。
【００２１】
上記養生用シート４０は、工具等の落下に対して緩衝性を有する材料で形成されている。具体的には、厚さ３ｍｍのシート状塩化ビニル樹脂発泡体を不織布で補強したものであって、不織布は表面側に配置され、滑り止めとなる。また、上記段板２０Ａは、図６（ロ）図に示すように、設置面にゴムシートが設けられ、屋根面の傷付きを防止している。
【００２２】
本実施例の屋根上作業用梯子１Ａによると、前記養生用シート４０が、工具等の落下に対して緩衝性を有する材料（シート状塩化ビニル樹脂発泡体を不織布で補強したもの）で形成されているので、工具等を落とした時に屋根面の損傷を防止できる。屋根面には太陽電池パネル等を設置しているので、殊に有用である。
【００２３】
【発明の効果】
請求項１記載の屋根上作業用梯子は、段板間に養生用シートが張設されているので、段板から足がはみ出しても屋根下地等の汚染や傷付きを防止できる。さらに、前記養生シートが、工具等の落下に対して緩衝性を有する材料で形成されているので、工具等を落とした時に屋根面の損傷を防止できる。
【００２４】
請求項２記載の屋根上作業用梯子は、さらに、前記段板の設置面と踏み面との交叉角度が屋根面の傾斜角度と略同じになされているので、この梯子を屋根面の上から下方に沿わせて設置すると、踏み面が略水平状態となり、安定した姿勢で昇降できる。
【００２５】
請求項３記載の屋根上作業用梯子は、さらに、前記シート状の発泡体を不織布で補強したものであって、不織布を表面側に配置すると、滑り止めとなる。
【図面の簡単な説明】
【図１】本発明の一実施の形態であって、（イ）図は屋根上作業用梯子の平面図、（ロ）図は側面図である。
【図２】屋根面に設置された屋根上作業用梯子の要部拡大斜視図である。
【図３】図１の屋根上作業用梯子の取付け方法を示す説明図である。
【図４】屋根上作業用梯子の使用状態を示す説明図である。
【図５】本発明の別の実施例であって、屋根上作業用梯子の要部を示す斜視図である。
【図６】（イ）図は屋根上作業用梯子の平面図、（ロ）図は（イ）図のＡ−Ａ線における断面図である。
【図７】図６の屋根上作業用梯子の要部を示す斜視図である。
【符号の説明】
１、１Ａ  屋根上作業用梯子
２、２０、２０Ａ  段板
２１      設置面
２２      踏み面
２３      蹴込み面
３        ロープ
４、４０  養生用シート
Ｒ１      交叉角度
Ｒ２      傾斜角度
Ｙ        屋根面
【図１】
0003605328.tif 000002
【図２】
0003605328.tif 000003
【図３】
0003605328.tif 000004
【図４】
0003605328.tif 000005
【図５】
0003605328.tif 000006
【図６】
0003605328.tif 000007
【図７】
0003605328.tif 000008